(57)【要約】      （修正有）【課題】燃料極側と空気極側に供給するガスを分離したガス炎で直接加熱発電させる高温作動型燃料電池用ガスバーナを備えたガス器具を提供する。【解決手段】固体電解質型燃料電池１４の燃料極２０がガスバーナ１０の炎口部１２から噴出される還元炎１８に当たり、空気極２４が還元炎１８に当たらないように燃料電池１４をガスバーナ１０の炎口部１２近辺に配置し、ガスバーナ１０の燃焼による燃焼熱によって燃料電池１４をその作動温度まで昇温させると共に、ガスバーナ１０の燃焼の際ガスバーナ１０の炎口部１２から噴出される燃焼ガスを電極の燃料極２０に供給することによって発電させる方法とする。また、ガスバーナ１０の炎口部２０に燃料電池１４を立設させたガスバーナ及びそのガスバーナを内部に備えたガス器具とする。【選択図】図１
2007042354.tif 000002
【特許請求の範囲】
【請求項１】
酸素イオン伝導性固体電解質を有し該固体電解質の表面に燃料極及び空気極が形成された高温作動型の固体電解質型燃料電池をガスバーナの燃焼により発電させる燃料電池の発電方法であって、
前記固体電解質型燃料電池の前記燃料極側が前記ガスバーナの炎口部から噴出される還元炎に当たり、前記空気極側が前記還元炎に当たらないように前記ガスバーナからの炎の吹出し方向に沿って前記固体電解質型燃料電池を前記ガスバーナの炎口部近辺に配置し、前記ガスバーナの燃焼による燃焼熱によって前記固体電解質型燃料電池をその作動温度まで昇温させると共に、前記ガスバーナの燃焼の際前記ガスバーナの前記炎口部から噴出される燃焼ガスを前記燃料極に供給することを特徴とする燃料電池の発電方法。
【請求項２】
燃料ガスと燃焼用空気とが供給される入口と、該入口から供給された前記燃料ガスと前記燃焼用空気との混合ガスが通過するガス通路と、該ガス通路の下流側に接続され前記混合ガスを噴出させるための炎口部を有するガスバーナであって、
酸素イオン伝導性固体電解質を有し該固体電解質の表面に燃料極及び空気極が形成された高温作動型の固体電解質型燃料電池を、該固体電解質型燃料電池の前記燃料極側が前記炎口部から噴出される還元炎に当たり前記空気極側が前記還元炎に当たらないように前記ガスバーナからの炎の吹出し方向に沿って前記炎口部に立設させたことを特徴とするガスバーナ。
【請求項３】
請求項２に記載のガスバーナと電磁弁やファン等の電力を必要とする電気部品とを備えるガス器具であって、前記ガスバーナの前記固体電解質型燃料電池により発電される電力を前記電気部品の駆動用電力として用いることを特徴とするガス器具。
【発明の詳細な説明】
【技術分野】
【０００１】
本発明は、燃料電池の発電方法及びそれに用いるガスバーナ並びにそのガスバーナを備えたガス器具に関し、さらに詳しくは、ガスバーナの燃焼により高温作動型の固体電解質型燃料電池を発電させる燃料電池の発電方法及びその発電方法に使用可能な、高温状態で発電する燃料電池を備えたガスバーナ及びそのガスバーナを器具内部に備え、その燃料電池を、ファンや電磁弁等の電気部品を駆動させるための電力源として用いたガス器具に関する。
【背景技術】
【０００２】
従来、ガス器具内部に備えたファンや電磁弁等の電気部品を駆動させるために、その内部に、駆動用電力を発電させる高温作動型燃料電池（固体電解質型燃料電池）を備えたガス器具が知られている（例えば特許文献１）。
【０００３】
このようなガス器具では、そのガスバーナの燃焼熱により高温作動型燃料電池をその作動温度まで昇温させると共に、ガスバーナへ供給される燃料ガスの一部をこの高温作動型燃料電池に供給して発電させている。これによって、ガスバーナの燃焼と同時に内部の電気部品を駆動させることが可能となる。
【０００４】
この場合、通常、筒状の管内に高温作動型燃料電池を納め、管外からガスバーナで加熱すると共に、この管内に燃料ガスを供給して発電させるものとなっている。
【０００５】
そして、最近、筒状の管等に納めることなく、ガスバーナの炎の上に直接高温作動型燃料電池を配置し、ガスバーナの還元炎で直接加熱して燃料電池の作動温度まで昇温させると共に、ガスバーナの炎口部から直接燃料電池に燃料ガスを供給して発電させる方法が報告されている。
【０００６】
図８を用いてその方法を説明すると、ガスバーナ１００の炎口部１０２から出た炎の上に、ジルコニア等からなる固体電解質１０６の表裏面に電極が取付けられた高温作動型燃料電池１０４が、その燃料極側１０８を炎側にし、その空気極側１１０を炎と反対側になるように、炎の吹き出し方向に対して垂直方向に配置したものとなっている。
【０００７】
【特許文献１】特開平６−１９６１７６号公報
【発明の開示】
【発明が解決しようとする課題】
【０００８】
しかしながら、図８に示すものは、その燃料電池１０４の燃料極側１０８に発電に充分な加熱とガス供給をするためには、炎口部１０２にかなり近づけて配置させなければならず、そのため、炎を遮ってガスバーナ１００の燃焼を邪魔するという問題があった。
【０００９】
また、炎口部１０２と燃料電池１０４の位置が近いことから、炎口部１０２から出た還元炎が燃料電池１０４の燃料極側１０８に当たると共に、還元炎がその燃料電池１０４の裏側に回り込んで、空気極側１１０も還元炎に覆われるため、空気極側１１０に空気が供給されにくくなるという問題があった。
【００１０】
本発明が解決しようとする課題は、ガスバーナの炎に直接当ててその燃焼熱と燃料ガス供給によって発電可能な高温作動型燃料電池を発電させる際、燃料極側と空気極側に供給するガスを確実に分離してそれぞれの側に供給し、最適に発電させることが可能な燃料電池の発電方法及びそれに用いるガスバーナ並びにそのガスバーナを備えたガス器具を提供することにある。
【課題を解決するための手段】
【００１１】
上記課題を解決するために本発明に係る燃料電池の発電方法は、請求項１に記載のように、酸素イオン伝導性固体電解質を有し該固体電解質の表面に燃料極及び空気極が形成された高温作動型の固体電解質型燃料電池をガスバーナの燃焼により発電させる燃料電池の発電方法であって、前記固体電解質型燃料電池の前記燃料極側が前記ガスバーナの炎口部から噴出される還元炎に当たり、前記空気極側が前記還元炎に当たらないように前記ガスバーナからの炎の吹出し方向に沿って前記固体電解質型燃料電池を前記ガスバーナの炎口部近辺に配置し、前記ガスバーナの燃焼による燃焼熱によって前記固体電解質型燃料電池をその作動温度まで昇温させると共に、前記ガスバーナの燃焼の際前記ガスバーナの前記炎口部から噴出される燃焼ガスを前記燃料極に供給することを要旨とする。
【００１２】
また、本発明に係るガスバーナは、請求項２に記載のように、燃料ガスと燃焼用空気とが供給される入口と、該入口から供給された前記燃料ガスと前記燃焼用空気との混合ガスが通過するガス通路と、該ガス通路の下流側に接続され前記混合ガスを噴出させるための炎口部を有するガスバーナであって、酸素イオン伝導性固体電解質を有し該固体電解質の表面に燃料極及び空気極が形成された高温作動型の固体電解質型燃料電池を、該固体電解質型燃料電池の前記燃料極側が前記炎口部から噴出される還元炎に当たり前記空気極側が前記還元炎に当たらないように前記ガスバーナからの炎の吹出し方向に沿って前記炎口部に立設させたことを要旨とする。
【００１３】
そして、本発明に係るガス器具は、請求項３に記載のように、上記ガスバーナと電磁弁やファン等の電力を必要とする電気部品とを備えるガス器具であって、前記ガスバーナの前記固体電解質型燃料電池により発電される電力を前記電気部品の駆動用電力として用いることを要旨とする。
【発明の効果】
【００１４】
請求項１に記載の発明によれば、高温作動型の固体電解質型燃料電池の発電において、ガスバーナの炎口部近辺に固体電解質型燃料電池を配置するが、この際、この固体電解質型燃料電池の表面に取付けられた電極の燃料極側がガスバーナの炎口部から噴出される還元炎に当たり、空気極側にはこの還元炎が当たらないように、ガスバーナからの炎の吹出し方向に沿って固体電解質型燃料電池を配置することから、電極の燃料極側には燃料ガスを、電極の空気極側には空気を、それぞれ発電に充分な量で供給することができる。また、ガスバーナからの炎の吹出し方向に沿って配置することから、ガスバーナの燃焼の炎を遮ることなくガスバーナの炎口部近くに固体電解質型燃料電池を配置できるため、燃料電池の作動温度まで昇温させるのに充分な熱量を供給することができる。これによって、高出力の発電が安定して得られるようになる。
【００１５】
また、請求項２に記載の発明によれば、ガスバーナの燃焼の際その固体電解質型燃料電池の燃料極側が炎口部から噴出される還元炎に当たり空気極側が還元炎に当たらないようにガスバーナの炎口部に固体電解質型燃料電池を立設させることから、還元炎が燃料電池の固体電解質を越えて空気極側にいくことはないので、空気極側が還元炎に覆われることはなく、空気極側に空気が充分に供給されるものとすることができる。また、従来のように、ガスバーナの炎の上側に配置し、炎口部にかなり近づけるものではないため、炎を遮ってガスバーナの燃焼を邪魔することもない。よって、請求項１に記載の発明を確実に実施できるものとなる。
【００１６】
そして、請求項２に記載のガスバーナをガス器具の内部に備えることにより、そのガスバーナの燃焼熱を供給することができるだけでなく、外部電源からの電力供給を使うことなく、そのガスバーナに備えた燃料電池からの電力供給によってその内部に備える温風ファンや電磁弁、操作パネル等の電気部品を作動させることができる。
【００１７】
この場合、ガス器具内に配置されたガスバーナに取付けられた固体電解質型燃料電池は、ガスバーナへの取付け位置から、ガスバーナの炎口部から出た炎で燃料電池を加熱することができる。これにより、他にこの燃料電池を作動させる温度まで昇温させるための加熱装置を必要としないものとすることができる。
【００１８】
また、ガスバーナの炎口部から出てすぐの完全燃焼する前の還元炎がこの燃料電池に当たることから、ガスバーナの炎口部から直接燃料供給することができるため、発電のための燃料供給路を他に設ける必要もない。
【００１９】
さらに、発電に使用されなかった残りのガスはそのまま燃焼されるため、排ガスを逃がす通路等を設ける必要もない。
【００２０】
このように、本発明のガス器具によれば、発電システム全体の構造を簡単にすることが可能となる。
【発明を実施するための最良の形態】
【００２１】
以下に本発明の実施形態について詳細に説明する。
【００２２】
本発明に係る燃料電池の発電方法は、固体電解質型燃料電池の酸素イオン伝導性を有する固体電解質の表面に取付けられた電極の燃料極側（アノード側）が、ガスバーナの炎口部から噴出される還元炎に当たり、電極の空気極側（カソード側）が還元炎に当たらないようにガスバーナからの炎の吹出し方向に沿って固体電解質型燃料電池をガスバーナの炎口部近辺に配置することを第一の特徴とする。
【００２３】
そして、ガスバーナの燃焼による炎で直接、高温作動型の固体電解質型燃料電池を加熱してその作動温度まで昇温させると共に、ガスバーナの燃焼の際には、ガスバーナの炎口部から噴出される燃焼ガスが燃料電池の電極の燃料極側（アノード側）に供給されることを第二の特徴とする。
【００２４】
上記高温作動型の固体電解質型燃料電池（以下、単に燃料電池と略す）は、その中心に板状の酸素イオン伝導性固体電解質（以下、単に固体電解質と略す）を有しており、この板状の固体電解質の表面に電極が設けられる。この場合、固体電解質の一方の面のみに燃料極（アノード側）と空気極（カソード側）の両極を設けても良いし、一方の面に燃料極（アノード側）を設け、他の面に空気極（カソード側）を設けたものであっても良い。電極は一対の場合もあるし、二対以上としても良い。また、形状は板状のものに限らず、筒状のものであっても良い。
【００２５】
この燃料電池は、燃料極と空気極が室等によって区分けされておらず、燃料ガスと空気とを分けて供給するものではないため、燃料ガスと空気との混合ガスでも発電可能ないわゆる単室型燃料電池に用いられる電解質、電極材料を用いれば良い。その作動温度は、通常、７００℃〜１０００℃くらいを想定しているが、これに限定されるものではない。
【００２６】
ここでいう還元炎とは、還元作用のある炎であり、混合気体が完全燃焼する前の状態（内炎部分）では燃料ガスが残っている状態のものである。よって、この還元炎に、燃料電池の電極の燃料極（アノード側）が当たることにより、発電に必要な燃料ガスを直接供給することが可能となる。一方、空気極（カソード側）には、必要に応じて強制的に空気を送り込むこともできる。
【００２７】
炎口部近辺に配置するとは、ガスバーナの炎口部から噴出される炎を遮ることなく、燃料電池が作動するのに必要な熱と燃料ガスが、ガスバーナの燃焼によって供給できるような位置に配置することである。
【００２８】
次に図１を用いて、ガスバーナの燃焼時における本発明の実施形態の一例を示して、本発明に係る発電方法を説明する。
【００２９】
図１（ａ）は、通常のガスバーナ（ブンゼン燃焼型）１０の炎口部１２に燃料電池１４を配置させたものである。燃焼時には、流路Ａに燃料ガスと燃焼用空気の理論空燃比での混合気が供給され、流路Ｂ１、Ｂ２は、空気が供給される。そして、ガスバーナ１０の炎口部１２に配置した燃料電池１４をガスバーナ１０の燃焼の炎１６によって直接加熱する。
【００３０】
ここで、ガスバーナ１０の炎口部１２から出てすぐの完全燃焼する前の還元炎１８を燃料電池１４の燃料極（アノード側）２０に当てて、ガスバーナ１０の炎口部１２から直接、燃料電池１４を作動させるために充分の燃料ガスを供給する。
【００３１】
さらに、炎口部１２から出た炎１６は図中上方に向かって伸びており、この燃料電池１４もそれに沿って配置しているため、この燃料電池１４の固体電解質２２を越えて外側に還元炎１８が流れるようなことはない。つまり、その外側にある空気極（カソード側）２４が還元炎１８に当たることはないので、還元炎１８によってこの空気極（カソード側）２４に空気が供給されるのを邪魔されることはない。
【００３２】
このような構成により、ガスバーナ１０の炎で安定して燃料電池１４の加熱と燃料ガスの供給を行うことができる。また、電極のカソード側２４には安定して空気を供給することができる。そして、従来のように、燃料電池１４の加熱温度や燃料ガス、空気の供給が不安定となることはない。これによって、燃料電池１４から、高出力の発電が安定して得られるようになる。
【００３３】
図１（ｂ）（ｃ）は、ガスバーナが濃淡バーナ２６となっている。流路Ｃには燃料ガスと燃焼用空気の理論空燃比より燃料ガスの割合が希薄な（空気の割合が多い）混合気が供給され、燃焼により淡炎口部２８から主炎３０が形成される。一方、流路Ｄ１、Ｄ２には、理論空燃比より燃料ガスの割合が濃い（燃料ガスの割合が多い）混合気が供給され、燃焼により濃炎口部３２から袖火３４が形成される。
【００３４】
そして、図１（ａ）と同様、濃淡バーナ２６の炎口部（２８、３２）に燃料電池１４が配置されているため、この炎によって燃料電池１４を直接加熱することができる。また、濃淡バーナ２６の濃炎口部３２から出てすぐの完全燃焼する前の還元炎（袖火３４）がこの燃料電池１４の燃料極（アノード側）２０に当たることから、濃淡バーナ２６の濃炎口部３２から直接、燃料電池１４を作動させるための燃料ガスが供給できる。一方、空気極（カソード側）２４には、淡炎口部２８から出た空気の割合が高い主炎３０の酸化性ガスが供給されることから、発電に充分な空気が供給されて実用的な発電が達成される。
【００３５】
なお、本発明に係る燃料電池の発電方法は、ここに示すものに限られるものではない。例えば、ガスバーナ（１０、２６）の炎口部１２に燃料電池１４が引っ付いた状態を示しているが、炎口部１２から少し離したものであっても問題ない。炎口部１２の近辺に、ガスバーナ１０の高温の炎が充分に当たる位置に配置するものであり、燃料電池１４の電極の空気極側（カソード側）２４が、ガスバーナ（１０、２６）の燃焼による還元炎（１８、３４）に覆われることなく、発電に充分な空気が供給されるものであれば良い。
【００３６】
次に、本発明に係る上記燃料電池の発電方法を実施するのに好適なガスバーナの一例を説明する。
【００３７】
図２は、本発明に係るガスバーナの一実施形態を示している。本実施形態に係るガスバーナ３６は、本体部Ｘと発電部Ｙとからなる。
【００３８】
本体部Ｘには、燃料ガスと共に燃焼用空気が供給される側方の入口３８と、この入口３８から供給された燃料ガスと燃焼用空気との混合気が通過するＵ字状のガス通路４０と、そのガス通路４０の上方に、この混合気が噴出される出口となる炎口部１２とを備えている。
【００３９】
本体部Ｘは、例えば、一対の板金により上記の形状のようにプレスされ、溶接やカシメ接合等によって扁平状に成形されたものである。
【００４０】
炎口部１２は、複数の板金が厚み方向に配置されて分割された構造をしており、その内部から燃料が噴出される。この炎口部１２の外周端部には２枚の板金によって形成された溝４２があり、この溝４２に燃料電池１４が挿入取付けされている。
【００４１】
また、その炎口部１２は、本体部Ｘが通常のガスバーナの場合には、主炎口部のみが形成されているが、本体部Ｘが通常のガスバーナに限られず、例えば濃淡バーナのように、淡炎口部と濃炎口部といった複数の炎口部が形成されたものであっても良い。
【００４２】
炎口部１２は、さらに仕切り板等によって長手方向に分割されたものであっても良い。この場合、Ｕ字状に形成されたガス通路４０と炎口部１２との接続部は、ガス通路４０から炎口部１２にかけて開口が広がっている。そのため、分割された各炎口部への距離が等しくならないことから、ガス通路４０を通ってきた混合ガスが各炎口部に等しく分配されるように、例えばテーパー状にして各炎口部に均等にガスが分配されるようにすることも可能である。
【００４３】
一方、発電部Ｙは、炎口部１２に立設された燃料電池１４を有する構成となっている。この燃料電池１４はその中心に固体電解質２２を有しており、表面に燃料極（アノード側）２０と空気極（カソード側）２４を有する。これら両極（２０、２４）からは、電気を取り出すための図示しない電線が配される。
【００４４】
この燃料電池１４は、ガスバーナ３６の炎口部１２に二点鎖線に沿って複数個取付けることができるし、１つであっても良い。１つの場合、図示するような相対的大きさのものであっても良いし、二点鎖線に沿って面積を大きくしても良い。
【００４５】
次に、図３〜図５を用いて、燃料電池１４の炎口部１２への取付け状態について詳しく説明する。
【００４６】
図３は、主炎口部４４のみを有する通常のガスバーナが本体部Ｘとなるものの構造を示している。図３（ａ）は、炎口部１２を上側から見た図であり、図３（ｂ）は、本体部Ｘを横側から見た図である。
【００４７】
図３（ａ）で説明すると、炎口部１２は、複数の板金が厚み方向に配置されて分割された構造をしており、その内部の主炎口部４４から燃料が噴出される。この炎口部１２の外周端部には２枚の板金によって形成された溝４２があり、この溝４２に燃料電池１４が挿入取付けされている。
【００４８】
また、図３（ｂ）では、２枚の燃料電池１４は炎口部１２の端部に１対となって立設され、燃料電池１４の燃料極（アノード側）２０はそれぞれ主炎口部４４側を向いており、そこから噴出される還元炎に当たるように配置される。一方、空気極（カソード側）２４は、主炎口部４４から噴出される還元炎に当たらないように、主炎口部４４とは反対側にそれぞれ配置されている。
【００４９】
図４及び図５は、本体部Ｘが濃淡バーナ２６となっており、淡炎口部２８と濃炎口部３２とを有する。この濃淡バーナ２６は、理論空燃比（空燃比＝空気／燃料ガス混合比）より燃料の割合が希薄な（空気の割合が多い）混合気を燃焼することにより淡炎口部２８から主炎を形成し、理論空燃比より燃料の割合が濃い（燃料の割合が多い）混合気を燃焼することにより濃炎口部３２から袖火を形成する。そして、このような構成にすることにより、排ガスのＮＯｘ排出量の低減を図るものである。
【００５０】
図４に示すものは、淡炎口部２８と濃炎口部３２との間に板金によって形成された溝４２があり、図４（ａ）のように、この溝４２に燃料電池１４が挿入取付けされる。また、図４（ｂ）のように、燃料電池１４の電極のうち、空気極（カソード側）２４は、お互いに向き合う形で淡炎口部２８側を向いており、そこから噴出される主炎に当たるように配置される。一方、燃料極（アノード側）２０は、お互いに外側を向き、濃炎口部３２から噴出される袖火に当たるように配置される。
【００５１】
図５に示すものは、固体電解質２２の一方の面のみに燃料極（アノード側）２０、空気極（カソード側）２４の両極を設けた燃料電池１４であり、炎口部１２の厚み方向（短手方向）に沿って立設されたものである。この燃料電池１４は、淡炎口部２８と濃炎口部３２との間に板金によって形成された溝４２の位置で、固体電解質２２に突起部を設けてこの溝４２に挿入固定させたり、他の棒状部材等を溝４２に挿入固定し、この棒状部材等に固体電解質２２を固定させることもできる。この場合、淡炎口部２８に電極の空気極（カソード側）２４を配置し、濃炎口部３２に燃料極（アノード側）２０を配置する。
【００５２】
なお、図３〜図５に示す燃料電池１４は、本体部Ｘの炎口部１２との相対的な位置、大きさ等は、図示するものに限られない。また、燃料電池１４の炎口部１２への取付ける枚数も図示するものに限られない。さらに取付け方法も、特に限定されるものではない。
【００５３】
次に、本発明に係るガスバーナを器具内部の燃焼系に取付けたガス器具について説明する。
【００５４】
図６は、本発明に係るガス器具の一例を表している。図示するものは、ファン付赤外線ストーブ５０である。なお、本図はシステムの概略図であり、実際のレイアウトとは異なる場合もある。
【００５５】
ファン付赤外線ストーブ（以下、ストーブと略す）５０は、前面に開口部が設けられたケーシング５４内に、この開口部に対向させて赤熱プレート式の燃焼部（５６ａ、５６ｂ）を備える。燃焼部（５６ａ、５６ｂ）は、上下二段で構成され、燃料ガス（例えばメタンガスやプロパンガス等）と一次空気との混合室を形成するガスバーナ１０と、その本体部に装着される多数の炎口が設けられたセラミック製の燃焼プレート（５８ａ、５８ｂ）とを備えた全一次空気式バーナである。上段のガスバーナは、ガスバーナ本体部のみのガスバーナであり、下段のガスバーナは、燃料電池１４が取付けられた本発明に係るガスバーナである。燃焼部（５６ａ、５６ｂ）の基端には燃料ガスと一次空気とが吸入される吸入口６０が開口し、吸入口６０に臨んでノズル６２が設けられる。
【００５６】
ケーシング５４内の下方には、燃焼部（５６ａ、５６ｂ）からの燃焼ガスを本体前面下方に設けられた温風吹出口６４から送出する送風ファン６６が設けられる。
【００５７】
下段の燃焼部５６ｂの炎口部には燃料電池１４が設けられ、この燃料電池１４で発生した起電力が送風ファン６６のモータの電源として用いられる。この燃料電池１４は、プレート状の固体電解質が設けられ、その表面に燃料極と空気極が形成されている。そして、ガスバーナ１０の燃焼によって、燃料電池１４を作動させるための熱と燃料ガスが供給される。
【００５８】
燃焼部（５６ａ、５６ｂ）へガス供給するまでのガス通路には、上流から順に、図示しない点火レバーの操作力によって機械的に開閉されるメイン弁６８と、後述する熱電対（８０、８４）からの起電力によって開弁又は開弁保持されるマグネット電磁弁７０と、供給ガス圧を一定に保つガスガバナ７２とが設けられる。なお、さらに下流側には、下段の燃焼部５６ｂへのガス供給量を制御するために、ガス比例弁等を設けることもできる。
【００５９】
また、燃焼部（５６ａ、５６ｂ）へ点火するための点火用バーナ７４が設けられ、この近傍にはこの点火用バーナ７４へ点火するための点火電極７６が設けられ、この点火電極７６はイグナイタ７８と接続されている。そして、この点火用バーナ７４の近傍にはマグネット電磁弁７０のコイルと直列に接続された点火用熱電対８０も設けられ、図示しないスイッチによって点火用バーナ７４が点火された後、この点火用バーナ７４の炎により点火用熱電対８０が素早く加熱されて起電力が発生し、マグネット電磁弁７０を開弁する。
【００６０】
この点火用バーナ７４の炎は、室内の酸欠を検知するためのセンシングバーナ８２に火移りさせた後、上記スイッチを離すことにより消火する。そして、このセンシングバーナ８２の近傍にはマグネット電磁弁７０のコイルと直列に接続された酸欠検知用熱電対８４が設けられる。この酸欠検知用熱電対８４はセンシングバーナ８２の炎により直接加熱され、この時発生する起電力によって通常運転時にマグネット電磁弁７０を開弁保持している。
【００６１】
ケーシング５４には、上述したセンサ類からの信号を入力して各種のアクチュエータ類を駆動制御して燃焼部（５６ａ、５６ｂ）の燃焼を制御するコントローラ８６が設けられる。
【００６２】
上述したストーブ５０によれば、図示しない点火レバーを操作すると、燃焼プレート（５８ａ、５８ｂ）前面から燃料ガスが噴出し、点火用バーナ７４により点火される。そして、赤熱した燃焼プレート（５８ａ、５８ｂ）からの輻射熱によりストーブ５０正面の使用者を直接温める。この時、強弱切替えレバー８８で加温強さを調節する。例えば、弱にする場合、下段の燃焼部５６ｂのみ燃焼され、強にする場合、上下段の燃焼部（５６ａ、５６ｂ）が燃焼される。
【００６３】
下段の燃焼部５６ｂのガスバーナ１０が燃焼すると、その燃焼熱により燃料電池１４が作動温度まで昇温されて発電を開始する。この燃料電池１４の発電によって得られた電力によって送風ファン６６が駆動し、燃焼部（５６ａ、５６ｂ）で発生した高温の燃焼ガスと本体前面及び背面の給気口からの外部空気を吸い込んで、それらの混合気を温風吹出口６４から送出することにより、温風で室内を加温する。
【００６４】
図７は、ストーブ５０のレイアウトの一例を表す断面概略図である。その内部中央には燃焼部（５６ａ、５６ｂ）を備え、燃焼部（５６ａ、５６ｂ）の正面には開口部５２がある。燃焼部（５６ａ、５６ｂ）の燃焼プレート（５８ａ、５８ｂ）からの輻射熱がこの開口部５２を経て使用者を温める。この開口部５２には、器具本体内に使用者の手等が入らないように複数のガード棒９０が設けられている。
【００６５】
内部下方には送風ファン６６が設けられ、下段の燃焼部５６ｂのガスバーナの燃焼により発電可能となった燃料電池からの電力供給によって送風ファン６６が回ると、温風吸込口９２から燃焼ガスが吸引されると共に、背面や前面にある給気口（９４、９６）から冷たい空気が吸引される。これらが混合され、使用者がやけどしないような適切な温度に調節されて、前面下方にある温風吹出口６４から温風が送出される。
【００６６】
このように、本発明に係るガスバーナをストーブ５０の内部に備えることにより、そのガスバーナの燃焼熱による温風を送風ファン６６を介して供給することができるだけでなく、外部電源からの電力供給を使うことなく、そのガスバーナに備えた燃料電池からの電力供給によってその内部に備える温風ファン６６や電磁弁、操作パネル等の電気部品を作動させることができる。
【００６７】
この場合、ストーブ５０内に配置されたガスバーナに取付けられた燃料電池は、ガスバーナへの取付け位置から、ガスバーナの炎口部から出た炎で燃料電池を加熱することができる。これにより、他にこの燃料電池を作動させる温度まで昇温させるための加熱装置が必要ない。
【００６８】
また、ガスバーナの炎口部から出てすぐの完全燃焼する前の還元炎がこの燃料電池に当たることから、ガスバーナの炎口部から直接燃料供給することができるため、発電のための燃料供給路を他に設ける必要もない。
【００６９】
さらに、発電に使用されなかった残りの燃料ガスはそのまま燃焼されるため、排ガスを逃がす通路等を設ける必要もない。
【００７０】
このように、本発明のガス器具によれば、発電システム全体の構造を簡単にすることが可能となる。
【００７１】
以上、本発明の実施の形態について詳細に説明したが、本発明は上記実施の形態に何ら限定されるものではなく、本発明の要旨を逸脱しない範囲で種々の改変が可能である。
【００７２】
例えば、上記実施例において、ガス器具は、ファン付赤外線ストーブについて示しているが、これに限られるものではないことは勿論である。例えば、小型給湯器、テーブル・ビィルトインコンロ、炊飯器等にも適用することは可能である。
【００７３】
給湯器や炊飯器等は、家庭用のコンセントからＡＣ１００Ｖの電力が供給されるが、これらのものに本発明を適用すると電源コードが不要となり使用場所を選ばないため、使い勝手が良くなる。また、コンロ等は電源として乾電池を用いているが、電力が弱いためにファン等の電気部品を取付けることができなかった。例えばコンロに本発明を適用すると、ファンを取付けてコンロのトッププレートの温度を下げることも可能となる。
【産業上の利用可能性】
【００７４】
本発明に係るガスバーナ及びそれを用いたガス器具は、ファン付赤外線ストーブ、小型給湯器、テーブル・ビィルトインコンロ、炊飯器等として使用することができる。
【図面の簡単な説明】
【００７５】
【図１】本発明に係る燃料電池の発電方法を説明するための模式図であり、ガスバーナの炎口部を横側から見たものである。
【図２】本発明に係るガスバーナの一実施形態を表す図である。
【図３】本発明に係るガスバーナの炎口部を上側及び横側から見た図である。
【図４】本発明に係るガスバーナの炎口部を上側及び横側から見た図である。
【図５】本発明に係るガスバーナの炎口部を上側及び横側から見た図である。
【図６】本発明に係るガス器具の一例としてのファン付赤外線ストーブを表す図である。
【図７】図６に示すファン付赤外線ストーブのレイアウトの一例を表す断面概略図である。
【図８】公知の、ガスバーナの炎の上に直接高温作動型燃料電池を配置し、ガスバーナの還元炎で直接加熱して燃料電池の作動温度まで昇温させると共に、ガスバーナの炎口部から直接燃料電池に燃料ガスを供給して発電させるシステムを表す図である。
【符号の説明】
【００７６】
１０  ガスバーナ
１２  炎口部
１４  固体電解質型燃料電池
１６  炎
１８  還元炎
２０  燃料極（アノード側）
２２  固体電解質
２４  空気極（カソード側）
２６  濃淡バーナ
２８  淡炎口部
３０  主炎
３２  濃炎口部
３４  袖火
３６  ガスバーナ
３８  入口
４０  ガス通路
５０  ファン付赤外線ストーブ
Ｘ  本体部
Ｙ  発電部
【図１】
2007042354.tif 000003
【図２】
2007042354.tif 000004
【図３】
2007042354.tif 000005
【図４】
2007042354.tif 000006
【図５】
2007042354.tif 000007
【図６】
2007042354.tif 000008
【図７】
2007042354.tif 000009
【図８】
2007042354.tif 000010